(57)【要約】      （修正有）【課題】積み木式組み立て家屋構造の提供。【解決手段】積み木式組立て家屋構造は少なくとも数個の部屋ユニット１０を集合して組成するもので、その特徴は、当該すべての部屋ユニット１０は矩形体の鋼材フレーム１１をスケルトンとし、当該鋼材フレーム１１の頂上面と底面のコーナーにははめ込み孔１１１を設け、そして四つの壁面の外には対応するフック部分１１２を設けて引っ掛かるようにし、別にその内外の表面にも内外壁面１２、および天井板１３，床板１４および壁面１２あるいは天井版１３と床板１４の隙間層に水道・電力などライフライン１５を通す。また当該ライフライン１５の端部には接続ヘッド１５１と１５２を設けて延伸可能とし、その壁面１２上にドア１６あるいは窓１７を設置する。【選択図】図１
0003119978.tif 000002
【実用新案登録請求の範囲】
【請求項１】
一種の積み木式組み立て家屋構造で、少なくとも数個の部屋ユニットが集合して組成される。
当該全ての部屋ユニットは矩形体の鋼材フレームをスケルトンとし当該鋼材構造体の頂上面と底面のコーナーにははめ込み孔を設ける。そして四つの壁面の外には対応するフック部分を設けて引っかかるようにし、別にその内外の表面にも内外壁面、および天井板、床板および壁面あるいは天井版と床板の隙間層に水道、電力などライフラインを通す。また当該ライフラインの端部には接続ヘッドを設けて延伸可能とし、その壁面上にドアあるいは窓を設置するものとすることを特徴とする、積み木式組み立て家屋構造。
【請求項２】
請求項１記載の積み木式組み立て家屋構造は、四つの部屋ユニットを回字形に交差、排列し、鋼材フレームの側面で相対応するフック部分で引っ掛けて連結することを特徴とする、積み木式組み立て家屋構造。
【請求項３】
請求項１記載の積み木式組み立て家屋構造は、その中の部屋ユニットで多層の積み重ねの組み合わせが可能で、積み重ねた時は全ての部屋ユニットの頂上面もしくは底面の四つのコーナーのはめ込み穴を利用し、またその上層あるいは下層の部屋ユニットの相対応するはめ込み孔で差込を以って組み合わせ連結することを特徴とする、積み木式組み立て家屋構造。
【考案の詳細な説明】
【技術分野】
【０００１】
本考案は一種の先行製作可能で運搬に便利で、速やかに組み立てて長距離運送に間に合う組み立て家屋構造で、それは主に数個の部屋ユニットを積み重ねて集合組成させたものである。当該部屋ユニットは矩形体の鋼材フレームをスケルトンとし、当該鋼材フレームの頂上面と底面のコーナーにははめ込み孔を設け、そして四つの壁面の外には対応するフック部分を設けて引っかかるようにし、各部屋の必要に応じて内装した後、先行製作した数個の部屋ユニットは速やかに一つの大きな部屋に組み立てられ、臨時の建築物あるいは急難救助用に使用される、積み木式組み立て家屋構造に関する。
【背景技術】
【０００２】
周知の臨時建造物あるいは急難救助用の組み立て家屋は、大地震や津波の過ぎた後、被災ものの救助に充てられるものをいう。あるものはコンテナを利用して窓をつけたあと直接使用され、適切な内装も衛生、入浴設備などの施設もなく、簡単すぎて長期居住に適していない。もう一つの組み立て家屋は各部の部品（壁面、梁柱、ライフラインおよび浴室）は完全に除かれており、現場に到着したあとで一つずつ組み立てる。それは比較的完備した家屋構造で、あるべき内装と設備の多くは備わっているが、組み立てのプロセスで費用と時間がかかることから、研究、改善の余地がある。
【考案の開示】
【考案が解決しようとする課題】
【０００３】
本考案の主な目的は、一種の積み木式組み立て家屋構造を提供することで、それは当該組み合わせと家屋区分で数個の同じ大きさの部屋ユニットによるもので、工場で先行製作する方式で各部屋ユニットの構造を完成させる。次に現場まで運んでおいてクレーンで数個の居住空間を持つ中大坪数の部屋にし、引いては多層の建築物に積み上げることで、工事と時間を節約する実用性を組み合わせ家屋構造である。
【０００４】
本考案の主な構造は少なくとも数個の部屋ユニットを集合して組成するもので、その特徴は、当該全ての部屋ユニットは矩形体の鋼材フレームをスケルトンとし、当該鋼材フレームの頂上面と底面のコーナーにははめ込み孔を設け、そして四つの壁面の外には対応するフック部分を設けて引っかかるようにし、別にその内外の表面にも内外壁面、および天井板、床板および壁面あるいは天井版と床板の隙間層に水道・電力などライフラインを通す。また当該ライフラインの端部には接続ヘッドを設けて延伸可能とし、その壁面上にドアあるいは窓を設置するものとする。
【０００５】
本考案は先行製作の方式で数個の同じもしくは異なる部屋ユニットを完成させ、次に当該部屋ユニットを速やかに一つの大きな家屋へと組成できるようにし、臨時建造物および急難救助の使用に適したものとする。
【課題を解決するための手段】
【０００６】
請求項１の考案は、一種の積み木式組み立て家屋構造で、少なくとも数個の部屋ユニットが集合して組成される。その特徴は、
当該全ての部屋ユニットは矩形体の鋼材フレームをスケルトンとし当該鋼材構造体の頂上面と底面のコーナーにははめ込み孔を設ける。そして四つの壁面の外には対応するフック部分を設けて引っかかるようにし、別にその内外の表面にも内外壁面、および天井板、床板および壁面あるいは天井版と床板の隙間層に水道・電力などライフラインを通す。また当該ライフラインの端部には接続ヘッドを設けて延伸可能とし、その壁面上にドアあるいは窓を設置するものとするとしている。
請求項２の考案は、請求項１記載の積み木式組み立て家屋構造は、四つの部屋ユニットを回字形に交差、排列し、鋼材フレームの側面で相対応するフック部分で引っ掛けて連結するとしている。
請求項３の考案は、請求項１記載の積み木式組み立て家屋構造は、その中の部屋ユニットで多層の積み重ねの組み合わせが可能で、積み重ねた時は全ての部屋ユニットの頂上面もしくは底面の四つのコーナーのはめ込み穴を利用し、またその上層あるいは下層の部屋ユニットの相対応するはめ込み孔で差込を以って組み合わせ連結するとしている。
【考案の効果】
【０００７】
本考案の主な構造は少なくとも数個の部屋ユニットを集合して組成するもので、その特徴は、当該全ての部屋ユニットは矩形体の鋼材フレームをスケルトンとし、当該鋼材フレームの頂上面と底面のコーナーにははめ込み孔を設け、そして四つの壁面の外には対応するフック部分を設けて引っかかるようにし、別にその内外の表面にも内外壁面、および天井板、床板および壁面あるいは天井版と床板の隙間層に水道・電力などライフラインを通す。また当該ライフラインの端部には接続ヘッドを設けて延伸可能とし、その壁面上にドアあるいは窓を設置するものとする。
【考案を実施するための最良の形態】
【０００８】
まず図１から図３までで示したものを参照されたし。本考案の積み木式組み立て家屋構造は少なくとも数個の部屋ユニット１０を集合して組成するもので、その特徴は、当該全ての部屋ユニット１０は矩形体の鋼材フレーム１１をスケルトンとし、当該鋼材フレーム１１の頂上面と底面のコーナーにははめ込み孔１１１を設け、そして四つの壁面の外には対応するフック部分１１２を設けて引っかかるようにし、別にその内外の表面にも内外壁面１２、および天井板１３、床板１４および壁面１２あるいは天井版１３と床板１４の隙間層に水道・電力などライフライン１５を通す。また当該ライフライン１５の端部には接続ヘッド１５１と１５２を設けて延伸可能とし、その壁面１２上にドア１６あるいは窓１７を設置するものとする。
【０００９】
上述の記述に基づき、本考案は先行製作の方式で数個の同じもしくは異なる部屋ユニット１０を完成させ、次に当該部屋ユニット１０を速やか且つ大量に製作および運輸と組み立てに便利なものとする。次に当該部屋ユニット１０を現場まで運んでおいてクレーンで組み立て、またライフラインのルート１５に対応してヘッド１５１と１５２を接続し、速やかに全機能を備えた比較的大きな坪数の家屋を組み立てることができ、臨時建造物および急難救助の使用に適している。
【００１０】
図３の実施例が示すとおり、本考案の当該実施例の組み合わせ形態は、四つの部屋ユニット１０を回字形に交差させて並べ、また鋼材フレーム１１を利用して側面に相対応するフック部分１１２を組み合わせる（図４の通り）。その上に屋根構造２０をかぶせ、また中間の空間を利用して客間とし、また４LDKの大きな部屋となる。当該四部屋は、機能に沿って寝室、シャワー付きの部屋と厨房などに内装し、また各部屋ユニットを互いに連結することで、極めて優れた安定性と耐震性を備えることができ、大家庭での使用に適した一種の組み合わせ式家屋となる。上述の通り、本実施例はまたそのうち屋外ゲート１６および屋上２０（図のなかで虚線で示したところ）で機能性もしくは美化性の建築と装飾を施すことができ、全ての部屋を別荘の構造とし、よりその経済価値と実用性を増すことができる。
【００１１】
また、図５の実施例の示すとおり、当該実施例は図３の実施例から進んだもので、図５の実施例は本考案で多層の積み重ねによる組み合わせであり、積み重ねる時は全ての部屋ユニット１０のその頂上面あるいは底面の四つのコーナーのはめ込み穴１１１を利用し、またその上層あるいは下層の部屋ユニット１０で相対応するはめ込み孔１１１で差込３０を挿入してそのなかの組み合わせを連結する（図６の通り）、実施時、またそのなかの低層の部屋ユニット１０（あるいは鋼材フレーム）を利用し、地下に埋め込むことで基礎あるいは空心のボックスとし、さらに組み立て家屋の安定性を増加させ、あるいは空心のボックスの特性を利用して当該組み合わせ家屋を水面に沿わせて上昇させることで、水につかることによる損失を回避することができる。そのほかの第二層以上（第二層を含む）の部屋ユニット１０はいずれも格式用途の部屋に使用でき、また第二層と低層の中央位置には地坪４０を敷設し、また第二と第三層の中央部位で、その四周には廊下５０と欄干５１を設けて客間とする。また階段６０を設置して第二と第三層の部屋を貫通させ、よりすぐれた使用効率と土地の利用価値を実現する。また上述の構造を組み合わせで実施する時、また横向きおよび縦向きに伸ばすことで、より大きな面積にして利用することができる。そして上に積み重ねる時、非対称の方式で排列しあるいは突縮することができ、特殊な造型設計と実用機能を備えることができる。
【図面の簡単な説明】
【００１２】
【図１】本考案のなかで述べた部屋ユニットの立体分解図。
【図２】本考案のなかで述べた部屋ユニットの立体組み立て図。
【図３】本考案の組み立て家屋の立体実施例を示した図。
【図４】本考案ののなかの部屋ユニットの同一平面層での連結を示した図。
【図５】本考案の組み立て家屋のもう一つの実施例を示した図
【図６】本考案のなかの部屋ユニットが上下に重ねられ連結したのを示した図。
【符号の説明】
【００１３】
１０    部屋ユニット
２０    屋上
３０    差込
４０    地坪
５０    廊下
６０    階段
１１    鋼材フレーム
１２    壁面
１３    天井板
１４    床板
１５    ルート
１６    ドア
１７    窓
５１    欄干
１１１  はめ込み孔
１１２  フック部
１５１、１５２  接続ヘッド
【図１】
0003119978.tif 000003
【図２】
0003119978.tif 000004
【図３】
0003119978.tif 000005
【図４】
0003119978.tif 000006
【図５】
0003119978.tif 000007
【図６】
0003119978.tif 000008
【手続補正書】
【提出日】平成18年1月17日(2006.1.17)
【手続補正１】
【補正対象書類名】実用新案登録請求の範囲
【補正対象項目名】請求項１
【補正方法】変更
【補正の内容】
【請求項１】
一種の積み木式組み立て家屋構造で、少なくとも数個の部屋ユニットが集合して組成される、 
当該全ての部屋ユニットは矩形体の鋼材フレームをスケルトンとし当該鋼材構造体の頂上面と底面のコーナーにははめ込み孔を設ける、そして四つの壁面の外には対応するフック部分を設けて引っかかるようにし、別にその内外の表面にも内外壁面、および天井板、床板および壁面あるいは天井版と床板の隙間層に水道・電力などライフラインを通す、また当該ライフラインの端部には接続ヘッドを設けて延伸可能とし、その壁面上にドアあるいは窓を設置するものとすることを特徴とする、積み木式組み立て家屋構造。